(57)【要約】【課題】  予混合圧縮自着火燃焼方式の利点を損なうことなく、高負荷運転時の燃焼音を抑制し、広い運転領域において予混合圧縮自着火燃焼方式による内燃機関の運転を可能とする。【解決手段】  内燃機関は、低オクタン価燃料を噴射する第１の燃料噴射弁８２と、高オクタン価燃料を燃焼室内に直接噴射する第２の燃料噴射弁７２と、内燃機関の運転を制御するための制御部とを備えている。制御部は、第１の燃料噴射弁８２による第１の燃料噴射によって燃焼室内に予混合気を形成し、予混合気の圧縮自着火の後に、第２の燃料噴射弁７２による第２の燃料噴射を行う第１の運転モードを有している。【選択図】  図４
2005146932.tif 000002
【特許請求の範囲】
【請求項１】
予混合圧縮自着火運転が可能な内燃機関であって、
シリンダとピストンとで構成される燃焼室と、
前記燃焼室に設けられた吸気弁および排気弁と、
低オクタン価燃料を噴射する第１の燃料噴射弁と、
高オクタン価燃料を前記燃焼室内に直接噴射する第２の燃料噴射弁と、
前記内燃機関の運転を制御するための制御部と、
を備え、
前記制御部は、前記第１の燃料噴射弁による第１の燃料噴射によって前記燃焼室内に予混合気を形成し、前記予混合気の圧縮自着火の後に、前記第２の燃料噴射弁による第２の燃料噴射を行う第１の運転モードを有する、内燃機関。
【請求項２】
請求項１記載の内燃機関であって、
前記第１の運転モードにおける前記第１の燃料噴射は、前記吸気弁の開弁期間内に行われる、内燃機関。
【請求項３】
請求項２記載の内燃機関であって、
前記第１の燃料噴射弁は、前記燃焼室内に新気を供給する吸気ポート内に燃料を噴射するポート噴射弁である、内燃機関。
【請求項４】
請求項１記載の内燃機関であって、
前記制御部は、さらに、前記第１の燃料噴射弁による燃料噴射によって前記燃焼室内に予混合気を形成し、前記予混合気の圧縮自着火燃焼を行う第２の運転モードを有する、内燃機関。
【請求項５】
請求項１記載の内燃機関であって、
前記制御部は、さらに、前記吸気弁の開弁期間内において前記第１と第２の燃料噴射弁の両方を用いて第１の燃料噴射を行うことによって前記燃焼室内に予混合気を形成し、前記予混合気の圧縮自着火の後に、前記第２の燃料噴射弁による第２の燃料噴射を行う第３の運転モードを有する、内燃機関。
【請求項６】
請求項１記載の内燃機関であって、
前記制御部は、さらに、前記吸気弁の開弁期間内において前記第１の燃料噴射弁による第１の燃料噴射を行うと共に、圧縮行程後半において前記第２の燃料噴射弁による第２の燃料噴射を行うことによって前記燃焼室内に予混合気を形成し、前記予混合気の圧縮自着火の後に、前記第２の燃料噴射弁による第３の燃料噴射を行う第４の運転モードを有する、内燃機関。
【請求項７】
請求項１記載の内燃機関であって、
前記ピストン頂面に凹部が形成されており、
前記制御部は、さらに、前記吸気弁の開弁期間内において前記第１の燃料噴射弁による第１の燃料噴射を行うと共に、圧縮行程前半において前記第２の燃料噴射弁による第２の燃料噴射を行うことによって前記燃焼室内に予混合気を形成し、前記予混合気の圧縮自着火の後に、前記第２の燃料噴射弁による第３の燃料噴射を行う第５の運転モードを有する、内燃機関。
【請求項８】
請求項４ないし請求項７のいずれかに記載の内燃機関であって、
前記制御部は、前記内燃機関の負荷に応じて運転モードの切り替えを行う、内燃機関。
【発明の詳細な説明】
【技術分野】
【０００１】
本発明は、２種類の燃料を用いる予混合圧縮自着火運転可能な内燃機関に関する。
【背景技術】
【０００２】
内燃機関の燃焼方式として、近年、通常のガソリンエンジンのような「予混合火花点火燃焼方式」や、通常のディーゼルエンジンのような「拡散燃焼方式」に代わる、新たな燃焼方式が模索されている。このような新たな燃焼方式の１つとして、燃焼室内に予め混合気を形成しておき、これを圧縮して自着火させる「予混合圧縮自着火燃焼方式」がある。予混合圧縮自着火燃焼方式は、超リーン混合気を高圧縮比で圧縮し、一気に自着火燃焼させて短時間に燃焼を完了させる燃焼方式であり、原理的には、排気ガス中に含まれる大気汚染物質の量と燃料消費量とを同時に、しかも大幅に低減することが可能と考えられている。
【０００３】
この予混合圧縮自着火燃焼方式を、広い運転領域で採用するためには、低負荷運転時において安定した自着火燃焼を行わせると共に、高負荷運転時において過早着火による激しい燃焼音が発生することを防止することが必要である。
【０００４】
予混合圧縮自着火燃焼を、広い運転領域で安定して行うための技術として、オクタン価の異なる２種類の燃料を用い、燃焼室内の供給燃料のオクタン価を可変制御する技術が知られている。この技術によれば、低負荷運転時には、着火性に優れた低オクタン価燃料の供給割合を増加させることによって燃焼室内の供給燃料のオクタン価を低くし、安定した自着火燃焼運転を行うことができる。一方、高負荷運転時には、耐ノック性に優れた高オクタン価燃料の供給割合を増加させることによって燃焼室内の供給燃料のオクタン価を高くし、ノッキング発生を抑制することができる。
【０００５】
【特許文献１】特開２０００−１７９３６８号公報
【特許文献２】特開２００１−２５４６６０号公報
【特許文献３】特開平９−６８０６１号公報
【特許文献４】特開２００１−３８００号公報
【特許文献５】特開２００１−２０７８９０号公報
【発明の開示】
【発明が解決しようとする課題】
【０００６】
しかし、上記のような燃焼室内の供給燃料のオクタン価を可変制御する技術では、燃焼室内に供給されるすべての燃料がほぼ同時に圧縮自着火燃焼するため、特に高負荷運転時において燃焼音の低減が不十分となり、圧縮自着火燃焼による運転を行うことができる運転領域が制限されるという問題があった。
【０００７】
本発明は、上述した従来の課題を解決するためになされたものであり、予混合圧縮自着火燃焼方式の利点を損なうことなく、高負荷運転時の燃焼音を抑制し、広い運転領域において予混合圧縮自着火燃焼方式による内燃機関の運転を可能とする技術を提供することを目的とする。
【課題を解決するための手段】
【０００８】
上記課題を解決するために、本発明の内燃機関は、予混合圧縮自着火運転が可能な内燃機関であって、
シリンダとピストンとで構成される燃焼室と、
前記燃焼室に設けられた吸気弁および排気弁と、
低オクタン価燃料を噴射する第１の燃料噴射弁と、
高オクタン価燃料を前記燃焼室内に直接噴射する第２の燃料噴射弁と、
前記内燃機関の運転を制御するための制御部と、
を備え、
前記制御部は、前記第１の燃料噴射弁による第１の燃料噴射によって前記燃焼室内に予混合気を形成し、前記予混合気の圧縮自着火の後に、前記第２の燃料噴射弁による第２の燃料噴射を行う第１の運転モードを有する。
【０００９】
この内燃機関では、第１の燃料噴射によって燃焼室内に形成された低オクタン価燃料の予混合気を圧縮自着火燃焼させることによって、ＮＯｘなどの大気汚染物質排出量低減、燃料消費量低減、スモーク低減の効果を得ることができる。また、圧縮自着火燃焼の後に、第２の燃料噴射によって燃焼室内に噴射された高オクタン価燃料を拡散燃焼させることによって、燃焼音低減の効果を得ることができる。従って、広い運転領域において予混合圧縮自着火燃焼方式による運転を行うことができる。
【００１０】
上記内燃機関において、前記第１の運転モードにおける前記第１の燃料噴射は、前記吸気弁の開弁期間内に行われるとしてもよい。
【００１１】
このような運転モードによれば、第１の燃料噴射時から、噴射された低オクタン価燃料が自着火燃焼するまでの時間が長くなるため、より均質な予混合気を形成することができる。また、低オクタン価燃料と空気とが混ざり合う時間が十分にあるため、スモーク発生量をより低減させることができる。
【００１２】
上記内燃機関において、前記第１の燃料噴射弁は、前記燃焼室内に新気を供給する吸気ポート内に燃料を噴射するポート噴射弁であるとしてもよい。
【００１３】
この構成によれば、第１の燃料噴射弁はシリンダヘッドに設置されないため、シリンダヘッドの設計自由度を向上させることができる。
【００１４】
また、上記内燃機関において、前記制御部は、さらに、前記第１の燃料噴射弁による燃料噴射によって前記燃焼室内に予混合気を形成し、前記予混合気の圧縮自着火燃焼を行う第２の運転モードを有するとしてもよい。
【００１５】
第２の運転モードによれば、燃焼室内に供給されるすべての燃料を圧縮自着火燃焼させることによって、大気汚染物質排出量低減および燃料消費量低減の効果をより多く得ることができる。
【００１６】
また、上記内燃機関において、前記制御部は、さらに、前記吸気弁の開弁期間内において前記第１と第２の燃料噴射弁の両方を用いて第１の燃料噴射を行うことによって前記燃焼室内に予混合気を形成し、前記予混合気の圧縮自着火の後に、前記第２の燃料噴射弁による第２の燃料噴射を行う第３の運転モードを有するとしてもよい。
【００１７】
第３の運転モードによれば、吸気弁の開弁期間内において燃焼室内に低オクタン価燃料および高オクタン価燃料が供給され、低オクタン価燃料と高オクタン価燃料とを含む予混合気が形成される。低オクタン価燃料噴射量と高オクタン価燃料噴射量との割合を変化させることによって、燃焼室内に形成される予混合気の耐ノック性を変化させることができ、予混合気の自着火タイミングをコントロールすることができる。従って、より適した時期に自着火燃焼を行わせることができる。
【００１８】
また、上記内燃機関において、前記制御部は、さらに、前記吸気弁の開弁期間内において前記第１の燃料噴射弁による第１の燃料噴射を行うと共に、圧縮行程後半において前記第２の燃料噴射弁による第２の燃料噴射を行うことによって前記燃焼室内に予混合気を形成し、前記予混合気の圧縮自着火の後に、前記第２の燃料噴射弁による第３の燃料噴射を行う第４の運転モードを有するとしてもよい。
【００１９】
第４の運転モードによれば、圧縮行程後半に噴射された高オクタン価燃料は、燃焼室中心付近で成層燃焼する。従って、冷却損失低減による燃料消費量低減の効果を得ることができる。
【００２０】
また、上記内燃機関において、前記ピストン頂面に凹部が形成されており、
前記制御部は、さらに、前記吸気弁の開弁期間内において前記第１の燃料噴射弁による第１の燃料噴射を行うと共に、圧縮行程前半において前記第２の燃料噴射弁による第２の燃料噴射を行うことによって前記燃焼室内に予混合気を形成し、前記予混合気の圧縮自着火の後に、前記第２の燃料噴射弁による第３の燃料噴射を行う第５の運転モードを有するとしてもよい。
【００２１】
第５の運転モードによれば、圧縮行程前半に噴射された高オクタン価燃料は、ピストン頂面に形成された凹部内に良好に保持され、そのまま成層燃焼する。また、噴射された高オクタン価燃料は低沸点で気化しやすい上に、圧縮行程前半における高オクタン価燃料噴射から成層燃焼までに比較的時間があるため、燃料と空気との混合がより進行する。従って、冷却損失低減による燃料消費量低減の効果を得ることができると共に、サイクル間変動の低減およびスモーク低減の効果を得ることができる。
【００２２】
上記内燃機関において、前記制御部は、前記内燃機関の負荷に応じて運転モードの切り替えを行うとしてもよい。
【００２３】
この構成によれば、内燃機関の負荷に応じた最適な運転モードを選択することができ、広い運転領域で予混合圧縮自着火燃焼方式による運転を行うことができると共に、予混合圧縮自着火燃焼方式のメリットをより多く得ることができる。
【００２４】
なお、本発明は、種々の態様で実現することが可能であり、例えば、内燃機関や、内燃機関の運転方法、内燃機関の燃料噴射装置、内燃機関の燃料噴射方法等の態様で実現することができる。
【発明を実施するための最良の形態】
【００２５】
次に、本発明の実施の形態を実施例に基づいて以下の順序で説明する。
Ａ．第１実施例：
Ｂ．第２実施例：
Ｃ．第３実施例：
Ｄ．第４実施例：
Ｅ．第５実施例：
Ｆ．変形例：
【００２６】
Ａ．第１実施例：
図１は、本発明の第１実施例としてのエンジン１００の構成を概念的に示した説明図である。図１には、エンジン１００のシリンダの中心で断面を取ったときのシリンダの構造が示されている。
【００２７】
このエンジン１００の燃焼室は、シリンダブロック１４０内に設けられた中空円筒形のシリンダ１４２と、シリンダ１４２内を上下に摺動するピストン１４４と、シリンダブロック１４０の上部に設けられたシリンダヘッド１３０とによって形成されている。なお、シリンダブロック１４０とシリンダヘッド１３０とで構成される筒状体を、広義の「シリンダ」と呼ぶ。各燃焼室には、燃焼室の内圧（「筒内圧」とも呼ばれる）を測定するための筒内圧センサ３６（「燃焼圧センサ」とも呼ぶ）が設けられている。また、本明細書においては、シリンダ１４２の中心軸に沿って、ピストン１４４がシリンダヘッド１３０に近づく方向を上方向と、ピストン１４４がシリンダヘッド１３０から離れる方向を下方向として説明する。
【００２８】
シリンダヘッド１３０には、吸入空気が流入する吸気ポート１３３の開口部を開閉する吸気弁１３２と、排気ガスが流出する排気ポート１３５の開口部を開閉する排気弁１３４と、点火プラグ１３６と、燃焼室内に高オクタン価燃料の燃料噴霧を噴射する高オクタン価燃料用燃料噴射弁７２とが設けられている。
【００２９】
吸気弁１３２および排気弁１３４は、それぞれ電動アクチュエータ１６２，１６４で駆動されている。電動アクチュエータ１６２，１６４は、任意のタイミングでそれぞれの吸気弁１３２および排気弁１３４を開閉することが可能である。なお、電動アクチュエータの代わりに、油圧アクチュエータやカム機構などの他の種類の可変動弁機構によって吸気弁１３２および排気弁１３４を駆動してもよい。
【００３０】
また、高オクタン価燃料用燃料噴射弁７２には、高オクタン価燃料タンク７６に貯留された高オクタン価燃料が燃料ポンプ７４によって供給される。
【００３１】
吸気ポート１３３には、吸気ポート１３３内に低オクタン価燃料の燃料噴霧を噴射する低オクタン価燃料用燃料噴射弁８２が設けられている。低オクタン価燃料用燃料噴射弁８２には、低オクタン価燃料タンク８６に貯留された低オクタン価燃料が燃料ポンプ８４によって供給される。
【００３２】
以上説明したように、エンジン１００は、高オクタン価燃料および低オクタン価燃料の２種類の燃料を用いて運転を行うエンジンである。高オクタン価燃料は、通常は比較的低沸点であり、耐ノック性に優れると共に気化しやすい性質を有している。一方、低オクタン価燃料は、通常は比較的高沸点であり、着火性に優れると共に気化しにくい性質を有している。
【００３３】
吸気ポート１３３には吸入空気を導く吸気通路１２が接続されており、排気ポート１３５には排気ガスが通過する排気通路１６が接続されている。排気通路１６の下流には、排気ガスに含まれる大気汚染物質を浄化するための触媒２６と、過給器５０のタービン５２とが設けられている。排気通路１６内を通過する排気ガスはタービン５２を回転させた後、大気に放出される。また、吸気通路１２には、過給器５０のコンプレッサ５４が設けられている。コンプレッサ５４は、シャフト５６を介してタービン５２に接続されており、排気ガスによってタービン５２が回転するとコンプレッサ５４も回転する。その結果、コンプレッサ５４はエアクリーナ２０から吸い込んだ空気を加圧した後、吸気ポート１３３に向かって圧送する。
【００３４】
コンプレッサ５４で加圧すると空気温度が上昇するので、吸入空気を冷却するために、コンプレッサ５４の下流側にはインタークーラ６２が設けられている。また、吸気通路１２内にはサージタンク６０や、スロットル弁２２も設けられている。サージタンク６０は、燃焼室が空気を吸い込んだときに生じる圧力波を緩和させる作用を有しており、またスロットル弁２２は電動アクチュエータ２４によって適切な開度に設定されて、吸入空気量を調整する機能を有している。
【００３５】
ピストン１４４は、コネクティングロッド１４６を介してクランクシャフト１４８に接続されており、クランクシャフト１４８には、クランク角度を検出するクランク角センサ３２が取り付けられている。
【００３６】
このエンジン１００の動作は、エンジン制御ユニット（以下、ＥＣＵ）３０によって制御されている。ＥＣＵ３０は、エンジン回転速度Ｎｅやアクセル開度θａｃ、筒内圧Ｐｓを検出し、これらに基づいてスロットル弁２２の開度の制御や、点火プラグ１３６の点火タイミング制御、燃料噴射弁７２，８２の燃料噴射制御、燃料ポンプ７４，８４の制御を実行する。エンジン回転速度Ｎｅはクランク角センサ３２によって検出され、アクセル開度θａｃはアクセルペダルに内蔵されたアクセル開度センサ３４によって検出される。また、筒内圧Ｐｓは、前述のとおり、筒内圧センサ３６によって検出される。
【００３７】
図２は、第１実施例における、エンジン１００のシリンダの断面を拡大して示す説明図である。前述のようにシリンダヘッド１３０には、高オクタン価燃料用燃料噴射弁７２が設けられており、また吸気ポート１３３には、低オクタン価燃料用燃料噴射弁８２が設けられている。
【００３８】
図３は、第１実施例におけるエンジン１００の動作の一例を概念的に示した説明図である。エンジン１００は、シリンダ１４２内でピストン１４４を上下動させながら、吸気弁１３２および排気弁１３４の２つのバルブを適切なタイミングで開閉させると共に、高オクタン価燃料用燃料噴射弁７２および低オクタン価燃料用燃料噴射弁８２から適切なタイミングで燃料を噴射させながら、燃料と空気との混合気を燃焼させることによって動力を取り出している。
【００３９】
ピストン１４４が一番上にある状態（上死点）から、吸気弁１３２を開きながらピストン１４４を下降させると、吸気弁１３２から燃焼室内に空気が流入して吸気行程が開始される。図３（ａ）では、吸気ポート１３３から燃焼室内に空気が流入している様子を矢印で表している。このとき、空気の流入に合わせて、低オクタン価燃料用燃料噴射弁８２から低オクタン価燃料を吸気ポート１３３内に噴射する。図３（ａ）では、噴射された低オクタン価燃料噴霧をハッチングを付して表している。噴射された低オクタン価燃料噴霧は、吸入空気と共に燃焼室内に流入する。
【００４０】
燃焼室内に流入した吸入空気および低オクタン価燃料噴霧は、その後、燃焼室内で攪拌され、燃焼室内にほぼ均一な密度で分散して混合気を形成する。ピストン１４４が一番下まで下がりきった状態（下死点）になるのに合わせて吸気弁１３２を閉じられ、ピストン１４４を上昇させて圧縮行程が開始される。図３（ｂ）では、圧縮行程においてピストン１４４が上昇している様子を示しており、また、均一な密度で分散した低オクタン価燃料の混合気をハッチングを付して表している。
【００４１】
圧縮行程では、燃焼室内に形成された低オクタン価燃料の予混合気は断熱圧縮されるので、ピストン１４４の上昇と共に、急激に温度が上昇していく。そして、ほぼピストン１４４が上死点まで上昇した時点で、低オクタン価燃料の予混合気は自着火温度に達し、燃焼室内の予混合気がほぼ同時に自着火し、速やかに燃焼が完了する。図３（ｃ）では、燃焼室内の低オクタン価燃料の予混合気が、ピストン１４４上死点付近において、自着火燃焼している様子を示している。燃焼室内の圧力は、予混合気の自着火燃焼によってさらに高くなり、その結果、ピストン１４４を強い力で押し下げる。このようにしてエンジン１００は膨張行程を開始する。
【００４２】
低オクタン価燃料の予混合気が自着火燃焼した後に、高オクタン価燃料用燃料噴射弁７２から高オクタン価燃料を燃焼室内に噴射する。図３（ｄ）では、高オクタン価燃料を燃焼室内に噴射している様子を示している。図３（ｄ）では、噴射された高オクタン価燃料噴霧を細かいハッチングを付して表しており、また、低オクタン価燃料の予混合気が自着火燃焼した後の燃焼ガスを粗いハッチングを付して表している。
【００４３】
本実施例において使用する高オクタン価燃料は低沸点であるので、燃焼室内に噴射された高オクタン価燃料噴霧は、高温の燃焼ガスにより熱せられて直ちに気化し、拡散しながら燃焼ガス内の空気と混ざり合って高オクタン価燃料の混合気を形成する。形成された高オクタン価燃料の混合気は、燃焼に最も適した空燃比の部分で自着火燃焼し、自着火燃焼で発生した火炎に、後から噴射された燃料が供給されながら燃焼が進行する。このように、燃焼室内に噴射された高オクタン価燃料噴霧は拡散燃焼する。図３（ｅ）では、高オクタン価燃料の混合気（細かいハッチングを付して表す）が、拡散燃焼している様子を表している。なお、図３（ｄ）と同様に、図３（ｅ）では、燃焼ガスを粗いハッチングを付して表している。高オクタン価燃料の拡散燃焼によって、燃焼室内の圧力は一層高くなり、その結果、ピストン１４４をさらに強い力で押し下げる。
【００４４】
ピストン１４４は、燃焼室内の圧力によって下死点まで下降すると上昇に転ずる。このとき排気弁１３４が開き、排気行程が開始される。燃焼室内の燃焼ガスは、ピストン１４４によって押し出されるように排気弁１３４から排出される。図３（ｆ）では、燃焼ガス（ハッチングを付して示す）が排気弁１３４から排出されている様子を示している。ピストン１４４が上死点まで上昇し、燃焼ガスをほとんど排出し終えると、排気弁１３４が閉じ、図３（ａ）に示す吸気行程に移行する。
【００４５】
図４は、第１実施例におけるエンジン１００の燃料噴射制御の一例を概略的に示す説明図である。図４では、横軸にクランク角をとり、低オクタン価燃料の燃料噴射量の推移および高オクタン価燃料の燃料噴射量の推移を示している。ＢＤＣは下死点を、ＴＤＣは上死点を、それぞれ表している。
【００４６】
図４に示すように、第１実施例におけるエンジン１００は、下死点（ＢＤＣ）より前の吸気行程において、低オクタン価燃料を噴射している。また、上死点（ＴＤＣ）付近で低オクタン価燃料が自着火燃焼した後に、高オクタン価燃料を噴射している。
【００４７】
このような燃料噴射制御を行うことにより、図３を用いて前述したように、低オクタン価燃料は上死点付近で圧縮自着火燃焼すると共に、高オクタン価燃料は低オクタン価燃料の自着火燃焼後に拡散燃焼する。
【００４８】
低オクタン価燃料が圧縮自着火燃焼することによって、大気汚染物質（窒素酸化物、一酸化炭素、炭化水素）排出量の低減および燃料消費量の低減の効果を得ることができる。圧縮自着火燃焼によりこのような効果が得られるのは、等容度の向上、空気過剰率の増加、比熱比の増大の３つの要因によるものと考えられる。このことについて、以下に詳細に説明する。
【００４９】
まず、等容度の向上について説明する。等容度は、燃焼室内の混合気をいかに素早く燃焼させることができるかを表す指標である。混合気が上死点前に燃焼すると圧力が上昇し始めた混合気をピストンが圧縮することになり、動力として取り出すことのできる仕事が減少する。同様に、混合気が上死点後に燃焼すると燃焼室内の圧力が十分に高くならないままピストンが下降し始めるため、動力として取り出すことのできる仕事が減少する。従って、燃焼室内の混合気を素早く燃焼させ、理論サイクルの上死点における燃焼に近づけるほど、動力として取り出すことのできる仕事量が増加する。
【００５０】
この点で、予混合圧縮自着火燃焼方式では、すべての混合気をほぼ同時に自着火燃焼させることができるので、火炎伝搬により燃焼室内の混合気を燃焼させていく火花点火燃焼方式や、燃料液滴の表面から燃料を蒸発させながら燃焼させる拡散燃焼方式と比較して遙かに短い時間で燃焼を完了させることができる。この結果、予混合圧縮自着火燃焼方式は、等容度を向上させることができ、同じ燃料量の混合気を燃焼させても、より多くの仕事を取り出すことが可能となり、その分燃料消費量を低減させることができる。
【００５１】
次に、空気過剰率の増加について説明する。空気過剰率とは、混合気中に含まれる空気量と燃料量との割合を示す指標であり、空気過剰率が「１」とは、混合気に含まれる空気と燃料とが互いに過不足無く燃焼する比率であることを意味している。混合気の燃焼速度は、空気過剰率が「１」の付近で最大となり、空気過剰率が大きくなるほど燃焼速度は低下する。火花点火燃焼方式では、混合気全体の燃焼開始から燃焼完了までの時間を短縮するために、燃焼部分の燃焼速度を高くする必要があり、空気過剰率をあまり大きく設定することはできない。また拡散燃焼方式では、最も自着火しやすい空気過剰率「１」付近の部分で燃焼する。一方、予混合圧縮自着火燃焼方式では、十分に温度を上げて燃焼室内の混合気をほぼ同時に自着火燃焼させるので、短時間で混合気全体の燃焼を完了させることができ、従って、自着火可能な範囲で空気過剰率を大きな値に設定することができる。
【００５２】
空気過剰率を大きな値に設定すると、燃焼部分の燃焼温度が低下するので、混合気が局所的に高温にさらされることにより発生する窒素酸化物の排出量を大きく低減させることができる。また、空気過剰率を大きな値に設定すると、燃料に対して酸素が不足した条件で燃焼することによって発生する一酸化炭素の排出量についても大きく低減させることができる。従って、予混合圧縮自着火燃焼方式では、これらの大気汚染物質の排出量を大きく低減することができる。
【００５３】
次に、比熱比の増大について説明する。前述したように、予混合圧縮自着火燃焼方式では空気過剰率を大きな値に設定することができる。空気過剰率が大きいとは、すなわち、燃焼室内の混合気中に占める空気の割合が大きいということである。従って、燃焼室内の混合気の比熱比を大きくすることができる。
【００５４】
ここで、吸入、圧縮、膨張（燃焼）、排気を繰り返して運転を行う内燃機関の効率は、混合気の比熱比が大きいほど良い値となる。従って、比熱比が大きいほど燃料消費量は低減される。このように、予混合圧縮自着火燃焼方式では、比熱比の増大により燃料消費量を低減することができる。
【００５５】
また、低オクタン価燃料は、燃焼室内に供給されてから自着火燃焼するまでに、空気と混合する十分な時間が与えられる。従って、燃料が空気と接触できないまま熱せられることが原因となって発生するスモークについても発生量を低減することができる。
【００５６】
さらに、高オクタン価燃料が拡散燃焼することによって、スモーク低減と燃焼音低減の効果を得ることができる。すなわち、本実施例におけるエンジン１００に用いる高オクタン価燃料は低沸点であり気化しやすい。従って、高オクタン価燃料が燃焼室内に噴射されると、直ちに気化して周囲の空気と十分混合されるため、スモークの発生量が低減される。また、高オクタン価燃料は、低オクタン価燃料が上死点付近で自着火燃焼した後に、燃焼室内に噴射され拡散燃焼するため、低オクタン価燃料の燃焼と高オクタン価燃料の燃焼との間に時間差ができることになり、エンジンの燃焼音が低減される。
【００５７】
なお、図４では、高オクタン価燃料の燃料噴射開始時期を上死点（ＴＤＣ）の後の膨張行程内となるように表しているが、高オクタン価燃料の噴射開始時期は低オクタン価燃料の自着火燃焼の後であればよく、上死点の前であってもよい。また、熱効率の観点から、高オクタン価燃料の噴射開始時期は、遅くとも上死点後２０度までであることが好ましい。
【００５８】
一方、同じく図４では、低オクタン価燃料の噴射開始時期を吸気行程内となるように表しているが、低オクタン価燃料の噴射開始時期は吸気弁１３２が開弁しているときであればいつでもよい。ただし、低オクタン価燃料の噴射開始時期が早い（進角側）ほど、燃料噴射から自着火燃焼までの時間が長く、燃料と空気との混合がより進み、大気汚染物質排出量やスモーク発生量をより低減することができるため、好ましい。
【００５９】
以上説明したように、エンジン１００は、燃料噴射制御を行うことによって、燃焼室内の燃焼形態や燃焼時期を制御することができる。なお、本明細書において、１つの運転領域で行われる、燃焼室内の燃焼形態や燃焼時期等を含むエンジンの運転方法を「運転モード」とも呼ぶ。
【００６０】
運転モードは、エンジンの負荷に応じて切り替えを行うことが好ましい。図５は、第１実施例におけるエンジン１００の運転モードの一例を示すマップである。図５の例では、低負荷運転時には、低オクタン価燃料の自着火燃焼のみにより運転を行う運転モードを採用している。すなわち、図４において、低オクタン価燃料噴射は行うが、高オクタン価燃料噴射は行わないように燃料噴射制御を行っている。低負荷運転時には、安定した自着火燃焼を行う必要があり、また、燃焼室内に供給される燃料量が比較的少なく過早着火による激しい燃焼音の発生の恐れも少ないため、着火性の良い低オクタン価燃料のみにより自着火燃焼を行っている。
【００６１】
一方、高負荷運転時には、低オクタン価燃料の自着火燃焼に加えて、高オクタン価燃料の拡散燃焼を行うことにより運転を行う運転モードを採用している。すなわち、図４において、低オクタン価燃料噴射および高オクタン価燃料噴射の両方を行うように燃料噴射制御を行っている。
【００６２】
高負荷運転時には、燃焼室内に供給される燃料量が増加し、それに応じて空気量も増加するため、燃焼室内の圧力が増加する。従って、燃焼室内の予混合気は、より少ない圧縮によって自着火燃焼を起こしやすくなる。そのため、高負荷運転時に低オクタン価燃料の自着火燃焼のみによって運転を行う運転モードを採用すると、過早着火による激しい燃焼音の発生を招く恐れがある。
【００６３】
そこで、高負荷運転時には、過早着火を起こさないような量の低オクタン価燃料を供給して、安定した自着火燃焼による燃焼エネルギーを得ると共に、残りの必要な燃焼エネルギーを、耐ノック性に優れた高オクタン価燃料の拡散燃焼により得る。このような運転モードを採用することによって、高負荷運転時においても、過早着火による激しい燃焼音を発生させることなく、予混合圧縮自着火燃焼方式のメリットを最大限利用することができるような運転を行うことができる。
【００６４】
以上説明したように、本実施例のエンジン１００は、予混合圧縮自着火燃焼方式の利点を損なうことなく、高負荷運転時の燃焼音を抑制し、広い運転領域において予混合圧縮自着火燃焼方式による運転を行うことができる。
【００６５】
Ｂ．第２実施例：
図６は、第２実施例における、エンジン１００の燃料噴射制御の一例を概略的に示す説明図である。図６では、図４と同様に、横軸にクランク角をとり、低オクタン価燃料の燃料噴射量の推移および高オクタン価燃料の燃料噴射量の推移を示している。図４に示した第１実施例との違いは、高オクタン価燃料噴射を吸気行程においても行っていることであり、その他は第１実施例と同じである。
【００６６】
吸気行程において噴射された高オクタン価燃料は、同じく吸気行程において噴射された低オクタン価燃料と混ざり合って、燃焼室内で攪拌され、燃焼室内にほぼ均一な密度で分散して予混合気を形成する。この予混合気は、第１実施例と同様に、ピストン１４４によって圧縮され、自着火燃焼する。ここで、この予混合気は、低オクタン価燃料と高オクタン価燃料とが含まれているため、低オクタン価燃料のみによって形成された予混合気と比較して耐ノック性が良好であり、自着火燃焼しにくくなっている。従って、燃焼室内がより高温高圧になったときに自着火条件に達して自着火燃焼する。このように、低オクタン価燃料と高オクタン価燃料の割合を変化させることによって、燃焼室内の予混合気の耐ノック性を変化させ、予混合気の自着火タイミングをコントロールすることができる。
【００６７】
図７は、第２実施例におけるエンジン１００の運転モードの一例を示すマップである。図７の例では、低負荷運転時には、第１実施例と同様に、低オクタン価燃料の自着火燃焼のみにより運転を行う運転モードを採用している。すなわち、図６において、低オクタン価燃料噴射のみを行うように燃料噴射制御を行っている。
【００６８】
一方、中負荷運転時には、低オクタン価燃料の自着火燃焼に加えて、高オクタン価燃料の自着火燃焼により運転を行う運転モードを採用している。すなわち、図６において、吸気行程に、低オクタン価燃料噴射に加えて高オクタン価燃料噴射も行うように燃料噴射制御を行っている。
【００６９】
前述したように、負荷が増加すると、燃焼室内の予混合気は、より少ない圧縮によって自着火燃焼を起こしやすくなる。従って、負荷が増加したときに、低オクタン価燃料の自着火燃焼のみにより運転を行う運転モードを採用すると、第１実施例と同様に、過早着火による激しい燃焼音の発生を招く恐れがある。また、予混合気の自着火のタイミングは、上死点付近が最も望ましく、上死点より一定以上進角側または遅角側で自着火が発生することは、熱効率の面でも好ましくない。
【００７０】
そこで、中負荷運転時には、吸気行程において、低オクタン価燃料噴射および高オクタン価燃料噴射を行い、低オクタン価燃料噴射量と高オクタン価燃料噴射量との割合を、負荷に応じて変化させることが好ましい。すなわち、負荷が増加するほど、高オクタン価燃料の噴射量の割合を増加させることが好ましい。このようにすれば、負荷に応じて燃焼室内の予混合気の耐ノック性が変化するため、常に上死点付近で予混合気の自着火を発生させることが可能になる。従って、より広い運転領域において、過早着火による激しい燃焼音を発生させることなく、予混合圧縮自着火燃焼方式の利点をより生かした運転を行うことができる。
【００７１】
なお、さらに高負荷運転時には、低オクタン価燃料および高オクタン価燃料の自着火燃焼に加えて、第１実施例と同様に、高オクタン価燃料の拡散燃焼により運転を行う運転モードを採用している。本実施例では、第１実施例と比較して、全燃焼エネルギーに占める自着火燃焼による燃焼エネルギーの割合を高くすることができる。従って、圧縮自着火燃焼方式の利点をより多く得ることができる。
【００７２】
Ｃ．第３実施例：
図８は、第３実施例における、エンジン１００の燃料噴射制御の一例を概略的に示す説明図である。図８では、図４と同様に、横軸にクランク角をとり、低オクタン価燃料の燃料噴射量の推移および高オクタン価燃料の燃料噴射量の推移を示している。図４に示した第１実施例との違いは、高オクタン価燃料噴射を圧縮行程後半においても行っていることであり、その他は第１実施例と同じである。
【００７３】
圧縮行程後半において、噴射された高オクタン価燃料は、直ちに気化して周囲の空気と混合する。その後すぐにピストン１４４が上死点（ＴＤＣ）付近まで上昇するため、高オクタン価燃料の混合気は、燃焼室内に均質に形成された低オクタン価燃料の予混合気と混じり合うだけの時間もないまま自着火温度に達し、燃焼室中心付近で自着火燃焼する。すなわち、圧縮行程後半に噴射された高オクタン価燃料の自着火燃焼は、燃焼室内に局所的に燃料濃度のより高い混合気を形成する燃焼方式であり、「成層燃焼」とも呼ばれる。
【００７４】
高オクタン価燃料が燃焼室中心付近で成層燃焼することにより、シリンダ壁面からの冷却損失が低減され、内燃機関の熱効率が向上し、燃料消費量低減の効果を得ることができる。
【００７５】
図９は、第３実施例におけるエンジン１００の運転モードの一例を示すマップである。図９の例では、低負荷運転時には、第１実施例と同様に、低オクタン価燃料の自着火燃焼のみにより運転を行う運転モードを採用している。すなわち、図８において、低オクタン価燃料噴射のみを行うように燃料噴射制御を行っている。
【００７６】
一方、中負荷運転時には、低オクタン価燃料の自着火燃焼に加えて高オクタン価燃料の成層燃焼も行う運転モードを採用している。すなわち、図８において、吸気行程に低オクタン価燃料噴射を行うと共に、圧縮行程後半に高オクタン価燃料噴射を行うように燃料噴射制御を行っている。
【００７７】
中負荷運転時に低オクタン価燃料の自着火燃焼のみを行う運転モードを採用すると、第１実施例と同様に、過早着火による激しい燃焼音の発生を招く恐れがある。そこで、中負荷運転時には、過早着火を起こさない量の低オクタン価燃料を供給して安定した自着火燃焼を行うと共に、必要燃焼エネルギーの残りを高オクタン価燃料の成層燃焼により得る。このようにして、より負荷の高い運転領域まで圧縮自着火燃焼による運転を行うことができる。また、高オクタン価燃料が成層燃焼することにより、シリンダ壁面からの冷却損失が低減され、内燃機関の熱効率が向上し、燃料消費量の低減を行うことができる。
【００７８】
なお、さらに高負荷時には、低オクタン価燃料の自着火燃焼および高オクタン価燃料の成層燃焼に加えて、第１実施例と同様に、高オクタン価燃料の拡散燃焼も行う運転モードを採用している。
【００７９】
Ｄ．第４実施例：
図１０は、第４実施例における、エンジン１００のシリンダの断面を拡大して示す説明図である。図２に示した第１実施例との違いは、ピストン１４４の頂面に凹部（キャビティ）１４５が形成されていることである。それ以外の構成は、第１実施例と同じである。
【００８０】
図１１は、第４実施例における、エンジン１００の燃料噴射制御の一例を概略的に示す説明図である。図１１では、図８と同様に、横軸にクランク角をとり、低オクタン価燃料の燃料噴射量の推移および高オクタン価燃料の燃料噴射量の推移を示している。図８に示した第３実施例との違いは、第３実施例では圧縮行程後半に噴射していた分の高オクタン価燃料を、本実施例では圧縮行程前半に噴射していることであり、その他は第３実施例と同じである。
【００８１】
圧縮行程前半における高オクタン価燃料の噴射は、高オクタン価燃料用燃料噴射弁７２により、直接シリンダ内に行われるため、噴射された高オクタン価燃料は、ピストン１４４の頂面に設けられた凹部１４５に到達し、凹部１４５内に良好に保持される。また、高オクタン価燃料は低沸点であるため、直ちに気化して周囲の空気と混合し、凹部１４５内に高オクタン価燃料の混合気を形成する。そして、ピストン１４４が上死点（ＴＤＣ）付近まで上昇すると、凹部１４５内の高オクタン価燃料混合気は、自着火温度に達して凹部１４５内で自着火燃焼する。すなわち、本実施例においても、第３実施例と同様に、圧縮行程前半に噴射された高オクタン価燃料は成層燃焼する。
【００８２】
さらに、本実施例では、圧縮行程前半における高オクタン価燃料の噴射から、上死点付近における高オクタン価燃料の成層燃焼までに、比較的時間があることから、燃料と空気との混合がより進行する。
【００８３】
従って、本実施例においては、圧縮行程前半に噴射された高オクタン価燃料が凹部１４５内で成層燃焼することにより、第３実施例と同様に燃料消費量低減の効果を得ることができると共に、サイクル間変動低減およびスモーク低減の効果を得ることができる。
【００８４】
Ｅ．第５実施例：
図１２は、第５実施例における、エンジン１００のシリンダの断面を拡大して示す説明図である。図２に示した第１実施例との違いは、低オクタン価燃料用燃料噴射弁８２の位置である。すなわち本実施例では、低オクタン価燃料用燃料噴射弁８２は、直接燃焼室内に低オクタン価燃料を噴射できるようにシリンダヘッド１３０に設けられている。それ以外の構成は、第１実施例と同じである。
【００８５】
図１３は、第５実施例における、エンジン１００の燃料噴射制御の一例を概略的に示す説明図である。図１３では、図４と同様に、横軸にクランク角をとり、低オクタン価燃料の燃料噴射量の推移および高オクタン価燃料の燃料噴射量の推移を示している。図４に示した第１実施例との違いは、第１実施例では吸気行程に噴射していた低オクタン価燃料を、本実施例では圧縮行程に噴射していることであり、その他は第１実施例と同じである。
【００８６】
本実施例では、低オクタン価燃料用燃料噴射弁８２が、直接燃焼室内に低オクタン価燃料を噴射できる位置に設けられているため、吸気弁１３２が閉じている圧縮行程においても、低オクタン価燃料を燃焼室内に噴射することが可能である。従って、低オクタン価燃料の燃料噴射時期の自由度を向上させることができる。
【００８７】
Ｆ．変形例：
なお、この発明は上記の実施例や実施形態に限られるものではなく、その要旨を逸脱しない範囲において種々の態様において実施することが可能であり、例えば次のような変形も可能である。
【００８８】
Ｆ１．変形例１：
各実施例では、エンジン１００の運転モードのマップを示して説明したが、これらは単なる一例であり、運転領域の区分はこれら以外の種々の区分が可能であり、また運転モードはこれら以外の種々の運転モードの採用が可能である。
【図面の簡単な説明】
【００８９】
【図１】本発明の第１実施例としてのエンジン１００の構成を概念的に示した説明図。
【図２】第１実施例におけるエンジン１００のシリンダの断面を拡大して示す説明図。
【図３】第１実施例におけるエンジン１００の動作の一例を概念的に示した説明図。
【図４】第１実施例におけるエンジン１００の燃料噴射制御の一例を概略的に示す説明図。
【図５】第１実施例におけるエンジン１００の運転モードの一例を示すマップ。
【図６】第２実施例におけるエンジン１００の燃料噴射制御の一例を概略的に示す説明図。
【図７】第２実施例におけるエンジン１００の運転モードの一例を示すマップ。
【図８】第３実施例におけるエンジン１００の燃料噴射制御の一例を概略的に示す説明図。
【図９】第３実施例におけるエンジン１００の運転モードの一例を示すマップ。
【図１０】第４実施例におけるエンジン１００のシリンダの断面を拡大して示す説明図。
【図１１】第４実施例におけるエンジン１００の燃料噴射制御の一例を概略的に示す説明図。
【図１２】第５実施例におけるエンジン１００のシリンダの断面を拡大して示す説明図。
【図１３】第５実施例におけるエンジン１００の燃料噴射制御の一例を概略的に示す説明図。
【符号の説明】
【００９０】
１２...吸気通路
１６...排気通路
２０...エアクリーナ
２２...スロットル弁
２４...電動アクチュエータ
２６...触媒
３２...クランク角センサ
３４...アクセル開度センサ
３６...筒内圧センサ
５０...過給器
５２...タービン
５４...コンプレッサ
５６...シャフト
６０...サージタンク
６２...インタークーラ
７２...高オクタン価燃料用燃料噴射弁
７４...燃料ポンプ
７６...高オクタン価燃料タンク
８２...低オクタン価燃料用燃料噴射弁
８４...燃料ポンプ
８６...低オクタン価燃料タンク
１００...エンジン
１３０...シリンダヘッド
１３２...吸気弁
１３３...吸気ポート
１３４...排気弁
１３５...排気ポート
１３６...点火プラグ
１４０...シリンダブロック
１４２...シリンダ
１４４...ピストン
１４５...凹部
１４６...コネクティングロッド
１４８...クランクシャフト
１６２，１６４...電動アクチュエータ
【図１】
2005146932.tif 000003
【図２】
2005146932.tif 000004
【図３】
2005146932.tif 000005
【図４】
2005146932.tif 000006
【図５】
2005146932.tif 000007
【図６】
2005146932.tif 000008
【図７】
2005146932.tif 000009
【図８】
2005146932.tif 000010
【図９】
2005146932.tif 000011
【図１０】
2005146932.tif 000012
【図１１】
2005146932.tif 000013
【図１２】
2005146932.tif 000014
【図１３】
2005146932.tif 000015